【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
ハイブリッド自動再送要求確認ＨＡＲＱ−ＡＣＫメッセージの伝送方法であって、
帯域幅部分ＢＷＰ切り替え前に受信した物理下りリンクチャネルのＨＡＲＱ−ＡＣＫフィードバックが前記ＢＷＰ切り替え後に必要となると、所定の規則に基づいて、前記ＢＷＰ切り替え後に前記物理下りリンクチャネルのＨＡＲＱ−ＡＣＫを伝送するか否かを決定するステップを含む、ハイブリッド自動再送要求確認ＨＡＲＱ−ＡＣＫメッセージの伝送方法。
【請求項２】
前記の所定の規則に基づいて、前記ＢＷＰ切り替え後に前記物理下りリンクチャネルのＨＡＲＱ−ＡＣＫを伝送するか否かを決定するステップは、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを伝送するステップと、
ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送するステップと、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替え後にＰＵＣＣＨによる前記物理下りリンクチャネルのＨＡＲＱ−ＡＣＫの伝送を行わないステップ、又は、前記ＢＷＰ切り替え後にＰＵＣＣＨのみによる前記物理下りリンクチャネルのＨＡＲＱ−ＡＣＫの伝送を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを伝送するステップとのうち、少なくとも１つを含む、請求項１に記載の方法。
【請求項３】
物理上りリンク制御チャネルＰＵＣＣＨ伝送に用いられない搬送波で前記ＢＷＰ切り替えが発生する場合、又は、ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送する場合、
前記の前記ＢＷＰ切り替え後に前記物理下りリンクチャネルのＨＡＲＱ−ＡＣＫを伝送するステップは、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを伝送するステップを含み、および／または、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項２に記載の方法。
【請求項４】
前記ＢＷＰ切り替えは、下りＤＬ  ＢＷＰ及び／又は上りＵＬ  ＢＷＰ切り替えを含み、または、
時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含み、
又は、
周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む、請求項１〜３のいずれか一項に記載の方法。
【請求項５】
前記物理下りリンクチャネルのＨＡＲＱ−ＡＣＫを前記ＢＷＰ切り替え後に伝送する場合、
ＴＤＤにおいて、動的ＨＡＲＱ−ＡＣＫコードブックで前記ＨＡＲＱ−ＡＣＫを伝送するステップ、又は、
ＦＤＤにおいて、ＤＬ  ＢＷＰ切り替えの際に、動的ＨＡＲＱ−ＡＣＫコードブックで前記ＨＡＲＱ−ＡＣＫを伝送するステップ、又は、
ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送するステップを含む、請求項１〜３のいずれか一項に記載の方法。
【請求項６】
ハイブリッド自動再送要求確認ＨＡＲＱ−ＡＣＫメッセージの伝送方法であって、
帯域幅部分ＢＷＰ切り替え前に、前記ＢＷＰ切り替え後にＨＡＲＱ−ＡＣＫフィードバックが必要となる物理下りリンクチャネルを端末に送信した場合、所定の規則に基づいて、前記ＢＷＰ切り替え後に前記物理下りリンクチャネルのＨＡＲＱ−ＡＣＫを受信するか否かを決定するステップを含む、ハイブリッド自動再送要求確認ＨＡＲＱ−ＡＣＫメッセージの伝送方法。
【請求項７】
前記の所定の規則に基づいて、前記ＢＷＰ切り替え後に前記物理下りリンクチャネルのＨＡＲＱ−ＡＣＫを受信するか否かを決定するステップは、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを受信するステップと、
ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを受信するステップと、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替え後に前記物理下りリンクチャネルのＨＡＲＱ−ＡＣＫの受信を行わないステップ、又は、前記ＢＷＰ切り替え後にＰＵＣＣＨのみによる前記物理下りリンクチャネルのＨＡＲＱ−ＡＣＫの受信を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを受信するステップとのうち、少なくとも１つを含む、請求項６に記載の方法。
【請求項８】
物理上りリンク制御チャネルＰＵＣＣＨ伝送に用いられない搬送波で前記ＢＷＰ切り替えが発生する場合、又は、ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送する場合、
前記ＢＷＰ切り替え後に前記物理下りリンクチャネルのＨＡＲＱ−ＡＣＫを受信するステップは、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを受信するステップを含み、および／または、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項７に記載の方法。
【請求項９】
前記ＢＷＰ切り替えは、下りＤＬ  ＢＷＰ及び／又は上りＵＬ  ＢＷＰ切り替えを含み、または、
時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含み、
又は、
周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む、請求項６〜８のいずれか一項に記載の方法。
【請求項１０】
前記物理下りリンクチャネルのＨＡＲＱ−ＡＣＫを前記ＢＷＰ切り替え後に伝送する場合、
ＴＤＤにおいて、動的ＨＡＲＱ−ＡＣＫコードブックで前記ＨＡＲＱ−ＡＣＫを伝送するステップ、又は、
ＦＤＤにおいて、ＤＬ  ＢＷＰ切り替えの際に、動的ＨＡＲＱ−ＡＣＫコードブックで前記ＨＡＲＱ−ＡＣＫを伝送するステップ、又は、
ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送するステップを含む、請求項６〜８のいずれか一項に記載の方法。
【請求項１１】
帯域幅部分ＢＷＰ切り替え前に受信した物理下りリンクチャネルのＨＡＲＱ−ＡＣＫフィードバックが前記ＢＷＰ切り替え後に必要となると、所定の規則に基づいて、前記ＢＷＰ切り替え後に前記物理下りリンクチャネルのＨＡＲＱ−ＡＣＫを伝送するか否かを決定するための第１決定モジュールを含む、端末。
【請求項１２】
前記第１決定モジュールは、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを伝送することと、
ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送することと、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替え後にＰＵＣＣＨによる前記物理下りリンクチャネルのＨＡＲＱ−ＡＣＫの伝送を行わないこと、又は、前記ＢＷＰ切り替え後にＰＵＣＣＨのみによる前記物理下りリンクチャネルのＨＡＲＱ−ＡＣＫの伝送を行わないこと、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを伝送することとのうち、少なくとも１つに用いられる、請求項１１に記載の端末。
【請求項１３】
物理上りリンク制御チャネルＰＵＣＣＨ伝送に用いられない搬送波で前記ＢＷＰ切り替えが発生する場合、又は、ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送する場合、
前記の前記ＢＷＰ切り替え後に前記物理下りリンクチャネルのＨＡＲＱ−ＡＣＫを伝送することは、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを伝送することを含み、および／または、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項１２に記載の端末。
【請求項１４】
帯域幅部分ＢＷＰ切り替え前に、前記ＢＷＰ切り替え後にＨＡＲＱ−ＡＣＫフィードバックが必要となる物理下りリンクチャネルを端末に送信した場合、所定の規則に基づいて、前記ＢＷＰ切り替え後に前記物理下りリンクチャネルのＨＡＲＱ−ＡＣＫを受信するか否かを決定するための第２決定モジュールを含む、基地局。
【請求項１５】
前記第２決定モジュールは、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを受信することと、
ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを受信することと、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替え後に前記物理下りリンクチャネルのＨＡＲＱ−ＡＣＫの受信を行わないこと、又は、前記ＢＷＰ切り替え後にＰＵＣＣＨのみによる前記物理下りリンクチャネルのＨＡＲＱ−ＡＣＫの受信を行わないこと、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを受信することとのうち、少なくとも１つに用いられる、請求項１４に記載の基地局。
【請求項１６】
物理上りリンク制御チャネルＰＵＣＣＨ伝送に用いられない搬送波で前記ＢＷＰ切り替えが発生する場合、又は、ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送する場合、
前記ＢＷＰ切り替え後に前記物理下りリンクチャネルのＨＡＲＱ−ＡＣＫを受信することは、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを受信することを含み、および／または、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項１５に記載の基地局。